(57)【特許請求の範囲】
【請求項１】
物体側より順に、正の第１群と、負の第２群と、正の第３群と、負の第４群とからなり、無限遠物体合焦状態から撮影倍率等倍となる近距離物体合焦状態へのフォーカシング時に、前記第１群及び前記第４群が移動せず、前記第２群が像側へ移動し、前記第３群が物体側へ移動するマクロレンズにおいて、
前記第２群が、最も物体側に配置されていて像側に凹面を向けた負レンズと、該負レンズよりも像側に配置されていて物体側に凸面を向けた正レンズとを含む３つ以上のレンズからなり、
次の条件式（１）を満足することを特徴とするマクロレンズ。
０．０８  ＜  ΣＤG1L／Ｌ  ＜  ０．１８１        （１）
ただし、ΣＤG1Lは光軸上における前記第１群を構成するレンズの厚さの合計、Ｌは光軸上における最も物体側のレンズの物体側の面から最も像側のレンズの像側の面までの長さである。
【請求項２】
物体側より順に、正の第１群と、負の第２群と、正の第３群と、負の第４群とからなり、無限遠物体合焦状態から撮影倍率等倍となる近距離物体合焦状態へのフォーカシング時に、前記第１群及び前記第４群が移動せず、前記第２群が像側へ移動し、前記第３群が物体側へ移動するマクロレンズにおいて、
前記第１群が、４枚のレンズにより構成されており、
前記第１群を構成する全てのレンズが、物体側に凸面を向けており、
前記第１群を構成するレンズのうち最も物体側のレンズが、正レンズ成分であり、
前記正レンズ成分とは、正レンズ単体又は全体として正のパワーをもつ接合レンズであり、
次の条件式（２）を満足することを特徴とするマクロレンズ。
０．２７  ＜  （ＤG2-G3i−ＤG2-G3s）／Ｌ  ＜  ０．６        （２）
ただし、ＤG2-G3iは無限遠物体合焦状態の前記第２群と前記第３群との間隔、ＤG2-G3sは撮影倍率等倍となる近距離物体合焦状態の前記第２群と前記第３群との間隔、Ｌは光軸上における最も物体側のレンズの物体側の面から最も像側のレンズの像側の面までの長さである。
【請求項３】
物体側より順に、正の第１群と、負の第２群と、正の第３群と、負の第４群とからなり、無限遠物体合焦状態から撮影倍率等倍となる近距離物体合焦状態へのフォーカシング時に、前記第１群及び前記第４群が移動せず、前記第２群が像側へ移動し、前記第３群が物体側へ移動するマクロレンズにおいて、
前記第１群が、４枚のレンズにより構成されており、
前記第１群を構成する全てのレンズが、物体側に凸面を向けており、
前記第１群を構成するレンズのうち最も物体側のレンズが、正レンズ成分であり、
前記正レンズ成分とは、正レンズ単体又は全体として正のパワーをもつ接合レンズであり、
次の条件式（１）及び（２）を満足することを特徴とするマクロレンズ。
０．０８  ＜  ΣＤG1L／Ｌ  ＜  ０．１８１        （１）
０．２７  ＜  （ＤG2-G3i−ＤG2-G3s）／Ｌ  ＜  ０．６        （２）
ただし、ΣＤG1Lは光軸上における前記第１群を構成するレンズの厚さの合計、Ｌは光軸上における最も物体側のレンズの物体側の面から最も像側のレンズの像側の面までの長さ、ＤG2-G3iは無限遠物体合焦状態の前記第２群と前記第３群との間隔、ＤG2-G3sは無限遠物体合焦状態の前記第２群と前記第３群との間隔である。
【請求項４】
前記第２群が、最も物体側に配置されていて像側に凹面を向けた負レンズと、該負レンズよりも像側に配置されていて物体側に凸面を向けた正レンズとを含む３つ以上のレンズからなることを特徴とする請求項２又は３に記載のマクロレンズ。
【請求項５】
次の条件式（３）を満足することを特徴とする請求項１又は４に記載のマクロレンズ。
０．４  ＜  ＬｓG2n  ＜  ２          （３）
ただし、ＬｓG2n＝（ｒG2nf＋ｒG2nb）／（ｒG2nf−ｒG2nb）であり、ｒG2nfは前記第２群に含まれる前記負レンズの物体側の面の曲率半径、ｒG2nbは前記第２群に含まれる前記負レンズの像側の面の曲率半径である。
【請求項６】
次の条件式（４）を満足することを特徴とする請求項１、４、５のいずれか１項に記載のマクロレンズ。
−３３  ＜  ＬｓG2p  ＜  −１        （４）
ただし、ＬｓG2p＝（ｒG2pf＋ｒG2pb）／（ｒG2pf−ｒG2pb）であり、ｒG2pfは前記第２群に含まれる前記正レンズの物体側の面の曲率半径、ｒG2nbは前記第２群に含まれる前記正レンズの像側の面の曲率半径である。
【請求項７】
前記第１群の最も物体側に配置されているレンズが正レンズであり、
次の条件式（５）を満足することを特徴とする請求項１乃至６のいずれか１項に記載のマクロレンズ。
０．０５  ＜  ＤG2F／ＤG3F  ＜  ０．７１０     （５）
ただし、ＤG2Fは前記第２群のフォーカス時の移動量、ＤG3Fは前記第３群のフォーカス時の移動量である。
【請求項８】
次の条件式（６）を満足することを特徴とする請求項１乃至７のいずれか１項に記載のマクロレンズ。
０．２  ＜  ｜ｆG3／ｆG2｜  ＜  ２．０         （６）
ただし、ｆG3は前記第３群の焦点距離、ｆG2は前記第２群の焦点距離である。
【請求項９】
前記第４群が、少なくとも２つのレンズからなり、
次の条件式（７）を満足することを特徴とする請求項１乃至８のいずれか１項に記載のマクロレンズ。
０．１  ＜  （ＤG4Amax＋ｂｆ）／ｆi  ＜  ０．７        （７）
ただし、ＤG4Amaxは光軸上における前記第４群を構成するレンズ同士の空気間隔のうち最長の長さ、ｂｆはバックフォーカス、ｆiは無限遠物体合焦状態の焦点距離である。
【請求項１０】
前記第４群が、少なくとも２つのレンズからなり、
次の条件式（８）を満足することを特徴とする請求項１乃至９のいずれか１項に記載のマクロレンズ。
０．０８  ＜  ＤG4Amax／ｆ  ＜  ０．３        （８）
ただし、ＤG4Amaxは光軸上における前記第４群を構成するレンズ同士の空気間隔のうち最長の長さ、ｆは無限遠物体合焦状態の全系の焦点距離である。
【請求項１１】
次の条件式（９）を満足することを特徴とする請求項１０に記載のマクロレンズ。
０．５  ＜  ＤG4Amax／ＢＦ  ＜  １．８        （９）
ただし、ＤG4Amaxは光軸上における前記第４群を構成するレンズ同士の空気間隔のうち最長の長さ、ＢＦはバックフォーカスである。
【請求項１２】
前記第１群が、物体側から順に、正レンズと、物体側から順に負レンズと正レンズとからなる接合レンズと、正レンズとからなり、
次の条件式（１０）を満足することを特徴とする請求項１乃至１１のいずれか１項に記載のマクロレンズ。
−０．３３  ＜  ＬｓG1p2−ＬｓG1p3  ＜  １０    （１０）
ただし、ＬｓG1p2＝（ｒG1p2f＋ｒG1p2b）／（ｒG1p2f−ｒG1p2b）、ＬｓG1p3＝（ｒG1p3f＋ｒG1p3b）／（ｒG1p3f−ｒG1p3b）であり、ｒG1p2fは前記第１群に含まれる物体側から２番目の正レンズの物体側の面の曲率半径、ｒG1p2bは前記第１群に含まれる物体側から２番目の正レンズの像側の面の曲率半径、ｒG1p3fは前記第１群に含まれる物体側から３番目の正レンズの物体側の面の曲率半径、ｒG1p3bは前記第１群に含まれる物体側から３番目の正レンズの像側の面の曲率半径である。
【請求項１３】
次の条件式（１１）を満足することを特徴とする請求項１乃至１２のいずれか１項に記載のマクロレンズ。
０．３４  ＜  ｆG1／ｆ  ＜  ０．５７           （１１）
ただし、ｆG1は前記第１群の焦点距離、ｆは無限遠物体合焦状態の全系の焦点距離である。
【請求項１４】
次の条件式（１２）及び（１３）を満足することを特徴とする請求項１乃至１３のいずれか１項に記載のマクロレンズ。
７０  ＜  νｄG1pa  ＜  ９５          （１２）
１．８  ＜  ｎG1na  ＜  ２．１        （１３）
ただし、νｄG1paは前記第１群を構成するレンズのうち正の屈折力を持つレンズのｄ線に対するアッベ数の平均値、ｎG1naは前記第１群を構成するレンズのうち負の屈折力を持つレンズの屈折率の平均値である。
【発明の詳細な説明】
【技術分野】
【０００１】
本発明は、インナーフォーカス式のマクロレンズに関する。
【背景技術】
【０００２】
従来から、物体側より順に、正の第１群と、負の第２群と、正の第３群と、負の第４群とからなり、無限遠物体合焦状態から撮影倍率等倍となる近距離物体合焦状態へのフォーカシング時に、第１群及び第４群が移動せず、第２群が像側へ移動し、第３群が物体側へ移動するインナーフォーカス式のマクロレンズが知られている（例えば、特許文献１参照。）。
【先行技術文献】
【特許文献】
【０００３】
【特許文献１】特開２００１−３３７０４号公報
【発明の概要】
【発明が解決しようとする課題】
【０００４】
しかし、特許文献１に記載のマクロレンズは、合焦可能な範囲をさらに拡大しようとすると、収差変動、特に球面収差やコマ収差の変動が大きくなり、撮影倍率がほぼ等倍となるような近距離物体に合焦した状態では、倍率色収差が悪化するという問題があった。
【０００５】
本発明は、このような従来技術の問題点に鑑みてなされたものであり、その目的とするところは、無限遠物体合焦状態から撮影倍率等倍となる近距離物体合焦状態に至るまで収差変動の少ないマクロレンズを提供することである。
【課題を解決するための手段】
【０００６】
上記の目的を達成するために、本発明のある態様に係るマクロレンズは、物体側より順に、正の第１群と、負の第２群と、正の第３群と、負の第４群とからなり、無限遠物体合焦状態から撮影倍率等倍となる近距離物体合焦状態へのフォーカシング時に、前記第１群及び前記第４群が移動せず、前記第２群が像側へ移動し、前記第３群が物体側へ移動するマクロレンズにおいて、 前記第２群が、最も物体側に配置されていて像側に凹面を向けた負レンズと、該負レンズよりも像側に配置されていて物体側に凸面を向けた正レンズとを含む３つ以上のレンズからなり、次の条件式（１）を満足することを特徴とする。
０．０８  ＜  ΣＤG1L／Ｌ  ＜  ０．１８１        （１）
ただし、ΣＤG1Lは光軸上における前記第１群を構成するレンズの厚さの合計、Ｌは光軸上における最も物体側のレンズの物体側の面から最も像側のレンズの像側の面までの長さである。
【０００７】
また、上記目的を達成するために、本発明のある態様に係るマクロレンズは、物体側より順に、正の第１群と、負の第２群と、正の第３群と、負の第４群とからなり、無限遠物体合焦状態から撮影倍率等倍となる近距離物体合焦状態へのフォーカシング時に、前記第１群及び前記第４群が移動せず、前記第２群が像側へ移動し、前記第３群が物体側へ移動するマクロレンズにおいて、前記第１群が、４枚のレンズにより構成されており、前記第１群を構成する全てのレンズが、物体側に凸面を向けており、前記第１群を構成するレンズのうち最も物体側のレンズが、正レンズ成分であり、前記正レンズ成分とは、正レンズ単体又は全体として正のパワーをもつ接合レンズであり、次の条件式（２）を満足する。
０．２７  ＜  （ＤG2-G3i−ＤG2-G3s）／Ｌ  ＜  ０．６        （２）
ただし、ＤG2-G3iは無限遠物体合焦状態の前記第２群と前記第３群との間隔、ＤG2-G3sは撮影倍率等倍となる近距離物体合焦状態の前記第２群と前記第３群との間隔、Ｌは光軸上における最も物体側のレンズの物体側の面から最も像側のレンズの像側の面までの長さである。
【０００８】
また、上記目的を達成するために、本発明のある態様に係るマクロレンズは、物体側より順に、正の第１群と、負の第２群と、正の第３群と、負の第４群とからなり、無限遠物体合焦状態から撮影倍率等倍となる近距離物体合焦状態へのフォーカシング時に、前記第１群及び前記第４群が移動せず、前記第２群が像側へ移動し、前記第３群が物体側へ移動するマクロレンズにおいて、前記第１群が、４枚のレンズにより構成されており、前記第１群を構成する全てのレンズが、物体側に凸面を向けており、前記第１群を構成するレンズのうち最も物体側のレンズが、正レンズ成分であり、前記正レンズ成分とは、正レンズ単体又は全体として正のパワーをもつ接合レンズであり、次の条件式（１）及び（２）を満足することを特徴とする。
０．０８  ＜  ΣＤG1L／Ｌ  ＜  ０．１８１        （１）
０．２７  ＜  （ＤG2-G3i−ＤG2-G3s）／Ｌ  ＜  ０．６        （２）
ただし、ΣＤG1Lは光軸上における前記第１群を構成するレンズの厚さの合計、Ｌは光軸上における最も物体側のレンズの物体側の面から最も像側のレンズの像側の面までの長さ、ＤG2-G3iは無限遠物体合焦状態の前記第２群と前記第３群との間隔、ＤG2-G3sは無限遠物体合焦状態の前記第２群と前記第３群との間隔である。
【発明の効果】
【００１０】
本発明によれば、無限遠物体合焦状態から撮影倍率等倍となる近距離物体合焦状態に至るまで収差変動の少ないマクロレンズを提供することができる。
【図面の簡単な説明】
【００１１】
【図１】実施例１に係る本発明のマクロレンズの構成を示す光軸に沿う断面図であり、（ａ）は無限遠物体合焦状態、（ｂ）は中間状態（撮影倍率０．５倍）、（ｃ）は撮影倍率等倍となる近距離物体合焦状態をそれぞれ示している。なお、（ａ）と（ｂ）との間の矢印は、無限遠物体合焦状態から中間状態（撮影倍率０．５倍）へ観察状態を変更する際の各レンズ群の移動方向を表し、（ｂ）と（ｃ）との間の矢印は、中間状態（撮影倍率０．５倍）から撮影倍率等倍となる近距離物体合焦状態へ観察状態を変更する際の各レンズ群の移動方向を表している。
【図２】図１に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【図３】図１に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【図４】実施例２に係る本発明のマクロレンズの構成を示す光軸に沿う断面図であり、（ａ）は無限遠物体合焦状態、（ｂ）は中間状態（撮影倍率０．５倍）、（ｃ）は撮影倍率等倍となる近距離物体合焦状態をそれぞれ示している。なお、（ａ）と（ｂ）との間の矢印は、無限遠物体合焦状態から中間状態（撮影倍率０．５倍）へ観察状態を変更する際の各レンズ群の移動方向を表し、（ｂ）と（ｃ）との間の矢印は、中間状態（撮影倍率０．５倍）から撮影倍率等倍となる近距離物体合焦状態へ観察状態を変更する際の各レンズ群の移動方向を表している。
【図５】図４に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【図６】図４に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【図７】実施例３に係る本発明のマクロレンズの構成を示す光軸に沿う断面図であり、（ａ）は無限遠物体合焦状態、（ｂ）は中間状態（撮影倍率０．５倍）、（ｃ）は撮影倍率等倍となる近距離物体合焦状態をそれぞれ示している。なお、（ａ）と（ｂ）との間の矢印は、無限遠物体合焦状態から中間状態（撮影倍率０．５倍）へ観察状態を変更する際の各レンズ群の移動方向を表し、（ｂ）と（ｃ）との間の矢印は、中間状態（撮影倍率０．５倍）から撮影倍率等倍となる近距離物体合焦状態へ観察状態を変更する際の各レンズ群の移動方向を表している。
【図８】図７に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【図９】図７に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【図１０】実施例４に係る本発明のマクロレンズの構成を示す光軸に沿う断面図であり、（ａ）は無限遠物体合焦状態、（ｂ）は中間状態（撮影倍率０．５倍）、（ｃ）は撮影倍率等倍となる近距離物体合焦状態をそれぞれ示している。なお、（ａ）と（ｂ）との間の矢印は、無限遠物体合焦状態から中間状態（撮影倍率０．５倍）へ観察状態を変更する際の各レンズ群の移動方向を表し、（ｂ）と（ｃ）との間の矢印は、中間状態（撮影倍率０．５倍）から撮影倍率等倍となる近距離物体合焦状態へ観察状態を変更する際の各レンズ群の移動方向を表している。
【図１１】図１０に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【図１２】図１０に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【図１３】実施例５に係る本発明のマクロレンズの構成を示す光軸に沿う断面図であり、（ａ）は無限遠物体合焦状態、（ｂ）は中間状態（撮影倍率０．５倍）、（ｃ）は撮影倍率等倍となる近距離物体合焦状態をそれぞれ示している。なお、（ａ）と（ｂ）との間の矢印は、無限遠物体合焦状態から中間状態（撮影倍率０．５倍）へ観察状態を変更する際の各レンズ群の移動方向を表し、（ｂ）と（ｃ）との間の矢印は、中間状態（撮影倍率０．５倍）から撮影倍率等倍となる近距離物体合焦状態へ観察状態を変更する際の各レンズ群の移動方向を表している。
【図１４】図１３に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【図１５】図１３に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【図１６】実施例６に係る本発明のマクロレンズの構成を示す光軸に沿う断面図であり、（ａ）は無限遠物体合焦状態、（ｂ）は中間状態（撮影倍率０．５倍）、（ｃ）は撮影倍率等倍となる近距離物体合焦状態をそれぞれ示している。なお、（ａ）と（ｂ）との間の矢印は、無限遠物体合焦状態から中間状態（撮影倍率０．５倍）へ観察状態を変更する際の各レンズ群の移動方向を表し、（ｂ）と（ｃ）との間の矢印は、中間状態（撮影倍率０．５倍）から撮影倍率等倍となる近距離物体合焦状態へ観察状態を変更する際の各レンズ群の移動方向を表している。
【図１７】図１６に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【図１８】図１６に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【発明を実施するための形態】
【００１２】
本実施例のマクロレンズの説明に先立ち、本実施形態のマクロレンズの構成による作用効果を説明する。なお、この実施形態によって本発明は限定されるものではない。すなわち、実施形態の説明に当たって、例示のために特定の詳細な内容が多く含まれるが、当業者であれば、これらの詳細な内容に色々なバリエーションや変更を加えても、本発明の範囲を超えないことは理解できよう。従って、以下で説明する本発明の例示的な実施形態は、権利請求された発明に対して、一般性を失わせることなく、また、何ら限定をすることもなく、述べられたものである。
【００１３】
本実施形態のマクロレンズは、物体側より順に、正の第１群と、負の第２群と、正の第３群と、負の第４群とからなり、無限遠物体合焦状態から撮影倍率等倍となる近距離物体合焦状態へのフォーカシング時に、前記第１群及び前記第４群が移動せず、前記第２群が像側へ移動し、前記第３群が物体側へ移動するマクロレンズにおいて、前記第２群が、最も物体側に配置されていて像側に凹面を向けた負レンズと、該負レンズよりも像側に配置されていて物体側に凸面を向けた正レンズとを含む３つ以上のレンズからなり、次の条件式（１）を満足することを特徴とする。
０．０８  ＜  ΣＤG1L／Ｌ  ＜  ０．１８１        （１）
ただし、ΣＤG1Lは光軸上における前記第１群を構成するレンズの厚さの合計、Ｌは光軸上における最も物体側のレンズの物体側の面から最も像側のレンズの像側の面までの長さである。
【００１４】
光軸上における第１群を構成するレンズの厚さの合計が条件式（１）の範囲内となるように構成しているため、本実施形態のマクロレンズは、フォーカス群である第２群と第３群の可動範囲が大きく、収差を良好に補正することができる。
また、第２群を、最も物体側に配置されていて像側に凹面を向けた負レンズと、該負レンズよりも像側に配置されていて物体側に凸面を向けた正レンズとを含む３つ以上のレンズからなるように構成しているため、第２群内で、マージナル光線の角度が急激に変化することを防ぐことができる、すなわち、マージナル光線の角度を緩やかに変化させることができる。そのため、上記本実施形態のマクロレンズは、フォーカス時に生ずるコマ収差や倍率色収差の変動を小さく抑えることができる。
【００１５】
この条件式（１）の下限値を下回ると、レンズの縁肉が不足しやすく、好ましくない。一方、上限値を上回ると、光学系全体に対して第１群の占める割合が増えるため、フォーカス群を配置するためのスペースが減る。そのため、第２群と第３群のパワーを強くしなければならず、収差が発生しやすくなり、諸収差を補正することが困難になる。また、フォーカス群を配置するためのスペースが減ると、十分なフォーカス作用を奏することが困難となり、撮影倍率の確保が難しくなる。
【００１６】
なお、条件式（１）に代わり、次の条件式（１）’、（１）”のいずれかを満足するように構成するとさらに好ましい。
０．１２４  ＜  ΣＤG1L／Ｌ  ＜  ０．１８１        （１）’
０．１５０  ＜  ΣＤG1L／Ｌ  ＜  ０．１６６        （１）”
また、条件式（１）’の下限値を、条件式（１）”の下限値としても良いし、条件式（１）”の上限値又は下限値を、条件式（１）、（１）’の上限値又は下限値としても良い。
【００１７】
また、本実施形態のマクロレンズは、物体側より順に、正の第１群と、負の第２群と、正の第３群と、負の第４群とからなり、無限遠物体合焦状態から撮影倍率等倍となる近距離物体合焦状態へのフォーカシング時に、前記第１群及び前記第４群が移動せず、前記第２群が像側へ移動し、前記第３群が物体側へ移動するマクロレンズにおいて、前記第１群が、４枚のレンズにより構成されており、前記第１群を構成する全てのレンズが、物体側に凸面を向けており、前記第１群を構成するレンズのうち最も物体側のレンズが、正レンズ成分であり、前記正レンズ成分とは、正レンズ単体又は全体として正のパワーをもつ接合レンズであり、次の条件式（２）を満足することを特徴とする。
０．２７  ＜  （ＤG2-G3i−ＤG2-G3s）／Ｌ  ＜  ０．６        （２）
ただし、ＤG2-G3iは無限遠物体合焦状態の前記第２群と前記第３群との間隔、ＤG2-G3s
は撮影倍率等倍となる近距離物体合焦状態の前記第２群と前記第３群との間隔、Ｌは光軸
上における最も物体側のレンズの物体側の面から最も像側のレンズの像側の面までの長さ
である。
【００１８】
第１群を構成するレンズの形状と配置を上述のように構成することにより、本実施形態のマクロレンズは、球面収差やコマ収差を良好に補正することができる。また、第１群を４枚のレンズで構成しているため条件式（２）を満足することができるので、本実施形態のマクロレンズは、フォーカス群である第２群と第３群の可動範囲を十分に確保でき、収差を良好に補正することができる。したがって、第１群をこのように構成することに加えて条件式（２）を満足するように構成することにより、第１群を小型化、すなわち、光学系全体を小型化し、コマ収差を極めて良好に補正できるようになる。
【００１９】
この条件式（２）の下限値を下回ると、収差を補正することが困難になる。一方、上限値を上回ると、光学系が大型化してしまう。
【００２０】
なお、条件式（２）に代わり、次の条件式（２）’、（２）”のいずれかを満足するように構成するとさらに好ましい。
０．２７  ＜  （ＤG2-G3i−ＤG2-G3s）／Ｌ  ＜  ０．５        （２）’
０．２７  ＜  （ＤG2-G3i−ＤG2-G3s）／Ｌ  ＜  ０．４２      （２）”
【００２１】
また、本実施形態のマクロレンズは、物体側より順に、正の第１群と、負の第２群と、正の第３群と、負の第４群とからなり、無限遠物体合焦状態から撮影倍率等倍となる近距離物体合焦状態へのフォーカシング時に、前記第１群及び前記第４群が移動せず、前記第２群が像側へ移動し、前記第３群が物体側へ移動するマクロレンズにおいて、前記第１群が、４枚のレンズにより構成されており、前記第１群を構成する全てのレンズが、物体側に凸面を向けており、前記第１群を構成するレンズのうち最も物体側のレンズが、正レンズ成分であり、前記正レンズ成分とは、正レンズ単体又は全体として正のパワーをもつ接合レンズであり、次の条件式（１）及び（２）を満足する。
０．０８  ＜  ΣＤG1L／Ｌ  ＜  ０．１８１                  （１）
０．２７  ＜  （ＤG2-G3i−ＤG2-G3s）／Ｌ  ＜  ０．６       （２）
ただし、ΣＤG1Lは光軸上における前記第１群を構成するレンズの厚さの合計、Ｌは光軸上における最も物体側のレンズの物体側の面から最も像側のレンズの像側の面までの長さ、ＤG2-G3iは無限遠物体合焦状態の前記第２群と前記第３群との間隔、ＤG2-G3sは無限遠物体合焦状態の前記第２群と前記第３群との間隔である。
【００２２】
上述のように、諸収差の補正に有利な構成についての条件である条件式（１）及び条件式（２）を満足することにより、本実施形態のマクロレンズは、諸収差を良好に補正することができる。
【００２３】
また、本実施形態のマクロレンズは、前記第２群が、最も物体側に配置されていて像側に凹面を向けた負レンズと、該負レンズよりも像側に配置されていて物体側に凸面を向けた正レンズとを含む３つ以上のレンズからなることが好ましい。
【００２４】
第２群をこのように構成すれば、第２群内で、マージナル光線の角度が急激に変化することを防ぐことができる、すなわち、マージナル光線の角度を緩やかに変化させることができる。そのため、本実施形態のマクロレンズは、フォーカス時に生ずるコマ収差や倍率色収差の変動を小さく抑えることができる。
【００２５】
また、本実施形態の参考例としてのマクロレンズは、物体側より順に、正の第１群と、負の第２群と、正の第３群と、負の第４群とからなり、無限遠物体合焦状態から撮影倍率等倍となる近距離物体合焦状態へのフォーカシング時に、前記第１群及び前記第４群が移動せず、前記第２群が像側へ移動し、前記第３群が物体側へ移動するマクロレンズにおいて、前記第２群が、最も物体側に配置されていて像側に凹面を向けた負レンズと、該負レンズよりも像側に配置されていて物体側に凸面を向けた正レンズとを含む３つ以上のレンズからなることを特徴とする。
【００２６】
第２群をこのように構成しているため、本実施形態の参考例としてのマクロレンズは、第２群内で、マージナル光線の角度が急激に変化することを防ぐことができる、すなわち、マージナル光線の角度を緩やかに変化させることができる。そのため、本実施形態のマクロレンズは、フォーカス時に生ずるコマ収差や倍率色収差の変動を小さく抑えることができる。
【００２７】
また、本実施形態のマクロレンズは、次の条件式（３）を満足することが好ましい。
０．４  ＜  ＬｓG2n  ＜  ２        （３）
ただし、ＬｓG2n＝（ｒG2nf＋ｒG2nb）／（ｒG2nf−ｒG2nb）であり、ｒG2nfは前記第２群に含まれる前記負レンズの物体側の面の曲率半径、ｒG2nbは前記第２群に含まれる前記負レンズの像側の面の曲率半径である。
【００２８】
条件式（３）は、像側に凹面を向けた負レンズとその負レンズの像側に配置された物体側に凸面を向けた正レンズとを含む３つ以上のレンズによって第２群を構成した場合に、その負レンズの形状を規定する条件式である。
【００２９】
この条件式（３）の下限値を下回ると、負レンズの像側に配置された物体側に凸面を向けた正レンズの軸外マージナル光線の光線高が高くなり、コマ収差が大きくなってしまう。一方、上限値を上回ると、負レンズ内での軸上マージナル光線の角度の変化量が大きくなり、球面収差が大きくなってしまう。
【００３０】
なお、条件式（３）に代わり、次の条件式（３）’、（３）”のいずれかを満足するように構成するとさらに好ましい。
０．８  ＜  ＬｓG2n  ＜  １．４        （３）’
０．９  ＜  ＬｓG2n  ＜  １．４        （３）”
また、条件式（３）’の上限値又は下限値を、条件式（３）の上限値又は下限値としても良いし、条件式（３）”の下限値を、条件式（３）の下限値としても良い。
【００３１】
また、本実施形態のマクロレンズは、次の条件式（４）を満足することが好ましい。
−３３  ＜  ＬｓG2p  ＜  −１            （４）
ただし、ＬｓG2p＝（ｒG2pf＋ｒG2pb）／（ｒG2pf−ｒG2pb）であり、ｒG2pfは前記第２群に含まれる前記正レンズの物体側の面の曲率半径、ｒG2nbは前記第２群に含まれる前記正レンズの像側の面の曲率半径である。
【００３２】
条件式（４）は、第２群を最も物体側に配置されていて像側に凹面を向けた負レンズと、該負レンズよりも像側に配置されていて物体側に凸面を向けた正レンズとを含む３つ以上のレンズによって構成した場合に、その正レンズの形状を規定する条件式である。
【００３３】
この条件式（４）の下限値を下回ると、負レンズ内での軸上マージナル光線の角度の変化量が大きくなり、球面収差が大きくなってしまう。一方、上限値を上回ると、負レンズの像側に配置された物体側に凸面を向けた正レンズの軸外マージナル光線の光線高が高くなり、倍率色収差が大きくなってしまう。
【００３４】
なお、条件式（４）に代わり、次の条件式（４）’を満足するように構成するとさらに好ましい。
−７  ＜  ＬｓG2p  ＜  −１       （４）’
【００３５】
また、本実施形態のマクロレンズは、第１群の最も物体側に配置されているレンズが正レンズであり、次の条件式（５）を満足することが好ましい。
０．０５  ＜  ＤG2F／ＤG3F  ＜  ０．７１０        （５）
ただし、ＤG2Fは前記第２群のフォーカス時の移動量、ＤG3Fは前記第３群のフォーカス時の移動量である。
【００３６】
条件式（５）は、第２群と第３群のフォーカス時の移動量を規定する条件式である。この条件式を満足するように構成すれば、本実施形態のマクロレンズは、無限遠物体合焦状態から撮影倍率等倍となる近距離物体合焦状態までの全ての状態において収差を良好に補正することができる。
【００３７】
この条件式（５）の下限値を下回ると、収差変動、特に撮影倍率等倍となる近距離物体合焦状態の軸外の収差変動を良好に補正することが困難になってしまう。一方、上限値を上回ると、コマ収差の変動が大きくなってしまう。
【００３８】
なお、条件式（５）に代わり、次の条件式（５）’、（５）”のいずれかを満足するように構成するとさらに好ましい。
０．１０  ＜  ＤG2F／ＤG3F  ＜  ０．７１０        （５）’
０．１５  ＜  ＤG2F／ＤG3F  ＜  ０．６６５        （５）”
また、条件式（５）’の下限値を、条件式（５）”の下限値としても良いし、条件式（５）”の上限値又は下限値を、条件式（５）、（５）’の上限値又は下限値としても良い。
【００３９】
また、本実施形態のマクロレンズは、次の条件式（６）を満足することが好ましい。
０．２  ＜  ｜ｆG3／ｆG2｜  ＜  ２．０            （６）
ただし、ｆG3は前記第３群の焦点距離、ｆG2は前記第２群の焦点距離である。
【００４０】
条件式（６）は、第２群と第３群の屈折力比を規定する条件式である。この条件式を満足するように構成すれば、本実施形態のマクロレンズは、無限遠物体合焦状態から撮影倍率等倍となる近距離物体合焦状態までの全ての状態において収差を良好に補正することができる。
【００４１】
この条件式（６）の下限値を下回ると、第３群の屈折力が強くなり、撮影倍率等倍となる近距離物体合焦状態における軸外の収差を良好に補正することが困難になってしまう。一方、上限値を上回ると、第３群の屈折力が弱くなり、フォーカス時の移動量が増大し、光学系が大型化してしまう。
【００４２】
なお、条件式（６）に代わり、次の条件式（６）’、（６）”のいずれかを満足するように構成するとさらに好ましい。
０．４  ＜  ｜ｆG3／ｆG2｜  ＜  １．６        （６）’
０．８  ＜  ｜ｆG3／ｆG2｜  ＜  １．１        （６）”
また、条件式（６）’の上限値又は下限値を、条件式（６）、（６）”の上限値又は下限値としても良いし、条件式（６）”の上限値又は下限値を、条件式（６）、（６）’の上限値又は下限値としても良い。
【００４３】
また、本実施形態のマクロレンズは、前記第４群が、少なくとも２つのレンズからなり、次の条件式（７）を満足することが好ましい。
０．１  ＜  （ＤG4Amax＋ｂｆ）／ｆi  ＜  ０．７        （７）
ただし、ＤG4Amaxは光軸上における前記第４群を構成するレンズ同士の空気間隔のうち最長の長さ、ｂｆはバックフォーカス、ｆiは無限遠物体合焦状態の焦点距離である。
【００４４】
条件式（７）は、第４群を構成するレンズ同士の空気間隔及びバックフォーカスを規定する条件式である。
【００４５】
この条件式（７）の下限値を下回ると、光学系を小型化できるものの、無限遠物体合焦状態から撮影倍率等倍となる近距離物体合焦状態までの全ての状態において、第４群から出射される軸外マージナル光線の斜入射角がきつくなりコマ収差が悪化してしまう。一方、上限値を上回ると、軸外マージナル光線の斜入射角がゆるくなりコマ収差を補正できるものの、光学系が大型化してしまう。
【００４６】
なお、条件式（７）に代わり、次の条件式（７）’、（７）”のいずれかを満足するように構成するとさらに好ましい。
０．２２  ＜  （ＤG4Amax＋ｂｆ）／ｆi  ＜  ０．５        （７）’
０．２４  ＜  （ＤG4Amax＋ｂｆ）／ｆi  ＜  ０．３７      （７）”
また、条件式（７）’の上限値又は下限値を、条件式（７）、（７）”の上限値又は下限値としても良いし、条件式（７）”の上限値又は下限値を、条件式（７）、（７）’の上限値又は下限値としても良い。
【００４７】
また、本実施形態のマクロレンズは、前記第４群が、少なくとも２つのレンズからなり、次の条件式（８）を満足することが好ましい。
０．０８  ＜  ＤG4Amax／ｆ  ＜  ０．３            （８）
ただし、ＤG4Amaxは光軸上における前記第４群を構成するレンズ同士の空気間隔のうち最長の長さ、ｆは無限遠物体合焦状態の全系の焦点距離である。
【００４８】
条件式（８）は、第４群を構成するレンズ同士の空気間隔とマクロレンズ全系の焦点距離との関係を規定する条件式である。この条件式（８）を満足すると、光学系の大型化を防ぎながら、非点収差を補正できる。
【００４９】
この条件式（８）の下限値を下回ると、光学系を小型化できるが非点収差を良好に補正することができない。一方、上限値を上回ると、非点収差を良好に補正できるが、光学系が大型化してしまい、使用部材が増えコストがかかり好ましくない。
【００５０】
なお、条件式（８）に代わり、次の条件式（８）’、（８）”のいずれかを満足するように構成するとさらに好ましい。
０．０９  ＜  ＤG4Amax／ｆ  ＜  ０．２        （８）’
０．１０  ＜  ＤG4Amax／ｆ  ＜  １．４        （８）”
また、条件式（８）’の上限値又は下限値を、条件式（８）、（８）”の上限値又は下限値としても良いし、条件式（８）”の上限値又は下限値を、条件式（８）、（８）’の上限値又は下限値としても良い。
【００５１】
また、本実施形態のマクロレンズは、次の条件式（９）を満足することが好ましい。
０．５  ＜  ＤG4Amax／ＢＦ  ＜  １．８        （９）
ただし、ＤG4Amaxは光軸上における前記第４群を構成するレンズ同士の空気間隔のうち最長の長さ、ＢＦはバックフォーカスである。
【００５２】
条件式（９）は、第４群を構成するレンズ同士の空気間隔とバックフォーカスとの関係を規定する条件式である。この条件式（９）を満足すると、非点収差およびコマ収差を良好に補正でき、かつ、大型化を防ぐことができる。
【００５３】
この条件式（９）の下限値を下回ると、軸外マージナル光線の斜入射角がきつくなりコマ収差が悪化する。一方、上限値を上回ると、非点収差を補正できるが光学系が大型化してしまい、使用部材が増えコストがかかり好ましくない。
【００５４】
また、本実施形態のマクロレンズは、前記第１群が、物体側から順に、正レンズと、物体側から順に、負レンズと正レンズとからなる接合レンズと、正レンズとからなり、次の条件式（１０）を満足することが好ましい。
−０．３３  ＜  ＬｓG1p2−ＬｓG1p3  ＜  １０        （１０）
ただし、ＬｓG1p2＝（ｒG1p2f＋ｒG1p2b）／（ｒG1p2f−ｒG1p2b）、ＬｓG1p3＝（ｒG1p3f＋ｒG1p3b）／（ｒG1p3f−ｒG1p3b）であり、ｒG1p2fは前記第１群に含まれる物体側から２番目の正レンズの物体側の面の曲率半径、ｒG1p2bは前記第１群に含まれる物体側から２番目の正レンズの像側の面の曲率半径、ｒG1p3fは前記第１群に含まれる物体側から３番目の正レンズの物体側の面の曲率半径、ｒG1p3bは前記第１群に含まれる物体側から３番目の正レンズの像側の面の曲率半径である。
【００５５】
第１群のこのような構成にするとともに、含まれるレンズが条件式（１０）を満足するものであれば、明るい望遠の光学系において困難な球面収差やコマ収差を良好に補正することができる。
【００５６】
この条件式（１０）の下限値を下回ると、物体側から３番目の正レンズに入射する軸外マージナル光線の光線高が高くなり、コマ収差や倍率色収差が悪化してしまう。一方、上限値を上回ると、軸上マージナル光線の角度の変化量が大きくなり、球面収差が悪化してしまう。
【００５７】
なお、条件式（１０）に代わり、次の条件式（１０）’、（１０）”のいずれかを満足するように構成するとさらに好ましい。
−０．３３  ＜  ＬｓG1p2−ＬｓG1p3  ＜  ５．０        （１０）’
−０．２５  ＜  ＬｓG1p2−ＬｓG1p3  ＜  ４．４        （１０）”
また、条件式（１０）’の上限値を、条件式（１０）”の上限値としても良いし、条件式（１０）”の上限値又は下限値を、条件式（１０）、（１０）’の上限値又は下限値としても良い。
【００５８】
また、本実施形態のマクロレンズは、次の条件式（１１）を満足することが好ましい。
０．３４  ＜  ｆG1／ｆ  ＜  ０．５７            （１１）
ただし、ｆG1は前記第１群の焦点距離、ｆは無限遠物体合焦状態の全系の焦点距離である。
【００５９】
条件式（１１）は、第１群の焦点距離とマクロレンズ全系の焦点距離との関係を規定する条件式である。この条件式（１１）を満足すると、光学系の大型化を防ぎ、かつ諸収差（特に球面収差、コマ収差）を補正することができる。
【００６０】
この条件式（１１）の下限値を下回ると、第１群の焦点距離が大きくなるので光学系を小型化できるものの、諸収差（特に球面収差、軸上色収差）を強く発生させる原因となってしまう。一方、上限値を上回ると、第１群の正のパワーが弱くなるため、光学系を構成するレンズの曲率半径の絶対値を大きくする必要が生じるので、諸収差は良好に補正できるものの、光学系が大型化してしまう。
【００６１】
また、本実施形態のマクロレンズは、次の条件式（１２）及び（１３）を満足することが好ましい。
７０  ＜  νｄG1pa  ＜  ９５          （１２）
１．８  ＜  ｎG1na  ＜  ２．１        （１３）
ただし、νｄG1paは前記第１群を構成するレンズのうち正の屈折力を持つレンズのｄ線に対するアッベ数の平均値、ｎG1naは前記第１群を構成するレンズのうち負の屈折力を持つレンズの屈折率の平均値である。
【００６２】
条件式（１２）及び（１３）は、第１群を構成する正レンズのアッベ数と負レンズの屈折率を規定する条件式である。この条件式（１２）及び（１３）を満足すると、倍率色収差と球面収差を良好に補正することができる。
【００６３】
この条件式（１２）の下限値を下回ると、倍率色収差を良好に補正することができなくなってしまう。一方、上限値を上回ると、現実的に使用可能な硝材がなくなってしまう。また、この条件式（１３）の下限値を下回ると、球面収差を良好に補正することができなくなってしまう。一方、上限値を上回ると、現実的な硝材がなくなってしまう。
【００６４】
以下に、本実施例のマクロレンズの実施例について図面を参照しながら説明する。
【００６５】
なお、光学系断面図のｒ1、ｒ2、・・・及びｄ1、ｄ2、・・・において下付き文字として示した数字は、数値データにおける面番号１、２、・・・に対応している。
【００６６】
また、数値データにおいては、ｓは面番号、ｒは各面の曲率半径、ｄは面間隔、ｎｄはｄ線（波長５８７．５６ｎｍ）における屈折率、νｄはｄ線におけるアッベ数をそれぞれ示している。
【実施例１】
【００６７】
以下に、図１〜図３を用いて、実施例１に係るマクロレンズについて詳細に説明する。
【００６８】
なお、図１は、本実施例に係るマクロレンズの構成を示す光軸に沿う断面図であり、（ａ）は無限遠物体合焦状態、（ｂ）は中間状態（撮影倍率０．５倍）、（ｃ）は撮影倍率等倍となる近距離物体合焦状態をそれぞれ示している。なお、（ａ）と（ｂ）との間の矢印は、無限遠物体合焦状態から中間状態（撮影倍率０．５倍）へ観察状態を変更する際の各レンズ群の移動方向を表し、（ｂ）と（ｃ）との間の矢印は、中間状態（撮影倍率０．５倍）から撮影倍率等倍となる近距離物体合焦状態へ観察状態を変更する際の各レンズ群の移動方向を表している。図２は、図１に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。図３は、図１に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【００６９】
本実施例のマクロレンズは、光軸Ｌｃ上に、物体側から順に、正の第１群Ｇ1、負の第２群Ｇ2、正の第３群Ｇ3、負の第４群Ｇ4が配置されている。なお、第３群Ｇ3と第４群Ｇ4との間には、第３群Ｇ3と一体的に構成された開口絞りＳが配置されている。また、第４群Ｇ4の像側には、物体側から順に、ＣＣＤカバーガラスＣＧ、撮像面ＩＭを持つＣＣＤが配置されている。なお、ＣＣＤカバーガラスＣＧは、必ずしも、必須ではない。
【００７０】
第１群Ｇ1は、物体側から順に、両凸レンズであるレンズＬ11と、物体側から順に物体側に凸面を向けた負の屈折力を持つメニスカスレンズであるレンズＬ12と物体側に凸面を向けた正の屈折力を持つメニスカスレンズであるレンズＬ13とからなる接合レンズと、物体側に凸面を向けた正の屈折力を持つメニスカスレンズであるレンズＬ14とにより構成されている。
【００７１】
第２群Ｇ2は、物体側から順に、両凹レンズであるレンズＬ21と、物体側に凸面を向けた正の屈折力を持つメニスカスレンズであるレンズＬ22と、物体側に凸面を向けた負の屈折力を持つメニスカスレンズであるレンズＬ23と、物体側に凸面を向けた正の屈折力を持つメニスカスレンズであるレンズＬ24とにより構成されている。
【００７２】
第３群Ｇ3は、物体側から順に、両凸レンズであるレンズＬ31と、物体側から順に両凸レンズであるレンズＬ32と物体側に凹面を向けた負の屈折力を持つメニスカスレンズであるレンズＬ33とからなる接合レンズとにより構成されている。
【００７３】
第４群Ｇ4は、物体側から順に、物体側に凸面を向けた負の屈折力を持つメニスカスレンズであるレンズＬ41と、物体側から順に両凹レンズであるレンズＬ42と両凸レンズであるレンズＬ43とからなる接合レンズとにより構成されている。
【００７４】
また、無限遠物体合焦状態から撮影倍率等倍となる近距離物体合焦状態へのフォーカシング時に、第１群Ｇ1は、光軸Ｌｃ上を移動しない。第２群Ｇ2は、第１群Ｇ1との間隔を広げつつ光軸Ｌｃ上を像側に移動する。第３群Ｇ3は、第２群Ｇ2との間隔を狭めつつ光軸Ｌｃ上を物体側に移動する。第４群Ｇ4は、光軸Ｌｃ上を移動しない。また、開口絞りＳは、第３群Ｇ3と一体的に構成されているため、第３群Ｇ3とともに移動する。
【００７５】
次に、本実施例のマクロレンズを構成しているレンズに係る数値データを示す。
【００７６】
数値データ１
単位    ｍｍ
面データ
面番号            曲率半径     面間隔    屈折率    アッベ数
ｓ                 ｒ          ｄ       ｎｄ       νｄ
1                 92.229     5.50     1.48749     70.23
2               -461.293     0.20
3                 61.971     1.00     1.80610     40.92 
4                 38.203    10.50     1.49700     81.54 
5            6839258.278     0.15
6                 63.911     4.31     1.49700     81.54 
7                365.835     Ｄ７
8               -480.113     3.00     1.69680     55.53 
9                 31.557     1.20
10                 25.727     5.00     1.61800     63.33 
11                 52.496     2.80
12                137.261     3.00     1.69680     55.53 
13                 25.924     2.00
14                 31.098     3.00     1.78472     25.68 
15                 46.304    Ｄ１５
16 （絞り）        ∞         0.20 
17                 75.971     5.03     1.49700     81.54 
18               -209.540     0.20
19                129.427     3.00     1.59282     68.63 
20                -46.055     1.00     1.80518     25.42 
21               -108.106    Ｄ２１
22                 62.508     1.40     1.48749     70.23 
23                 23.538     7.40
24                -71.022     1.40     1.62588     35.70 
25                 32.488     4.00     1.85026     32.27 
26                -96.400    Ｄ２６
27                 ∞         4.2      1.51633     64.14 
28                 ∞        Ｄ２８
29 （像面）        ∞
【００７７】
各種データ
撮影倍率            無限遠   −０．５    −１
焦点距離            150.11    109.12     81.24
Ｆナンバー             2.83      1.85      1.30 
画角（２ω）            8.33      4.76      3.68
像高               11.15     11.15     11.15
全長              178.64    178.64    178.64
バックフォーカス（in air）    44.08     44.08     44.08 
【００７８】
面間隔
撮影倍率   無限遠   −０．５    −１
Ｄ７       7.48     11.27     16.76 
Ｄ１５     59.91     27.03      4.20
Ｄ２１      1.87     30.97     48.30
Ｄ２６     40.00     40.00     40.00
Ｄ２８      1.31      1.32      1.32
【００７９】
レンズ群データ
群  始面  焦点距離
1    1     58.85 
2    8    -40.02 
3   17     62.52 
4   22   -214.57 
【００８０】
上記条件式に係るデータ
式（１） ：  ０．０８＜ΣＤG1L／Ｌ＜０．１８１  ：  ０．１６０９８
式（２） ：０．２７＜（ＤG2-G3i−ＤG2-G3s）／Ｌ＜０．６：  ０．４１３
式（３） ：         ０．４＜ＬｓG2n＜２         ：  ０．８７６
式（４） ：        −３３＜ＬｓG2p＜−１        ：−２．９２２
式（５） ：   ０．０５＜ＤG2F／ＤG3F＜０．７１０   ：  ０．１９９
式（６） ：    ０．２＜｜ｆG3／ｆG2｜＜２．０    ：  １．５６
式（７） ： ０．１＜（ＤG4Amax＋ｂｆ）／ｆi＜０．７ ：  ０．３４２９
式（８） ：     ０．０８＜ＤG4Amax／ｆ＜０．３     ：        −
式（９） ： ０．５  ＜  ＤG4Amax／ＢＦ  ＜  １．８ ：        −
式（１０）：   −０．３３＜ＬｓG1p2−ＬｓG1p3＜１０   ：  ０．４２３
式（１１）：    ０．３４＜ｆG1／ｆ＜０．５７    ：  ０．３９２
式（１２）：         ７０＜νｄG1pa＜９５         ：  ７７．７７
式（１３）：       １．８＜ｎG1na＜２．１       ：  １．８０６１
【実施例２】
【００８１】
以下に、図４〜図６を用いて、実施例２に係るマクロレンズについて詳細に説明する。
【００８２】
なお、図４は、本実施例に係るマクロレンズの構成を示す光軸に沿う断面図であり、（ａ）は無限遠物体合焦状態、（ｂ）は中間状態（撮影倍率０．５倍）、（ｃ）は撮影倍率等倍となる近距離物体合焦状態をそれぞれ示している。なお、（ａ）と（ｂ）との間の矢印は、無限遠物体合焦状態から中間状態（撮影倍率０．５倍）へ観察状態を変更する際の各レンズ群の移動方向を表し、（ｂ）と（ｃ）との間の矢印は、中間状態（撮影倍率０．５倍）から撮影倍率等倍となる近距離物体合焦状態へ観察状態を変更する際の各レンズ群の移動方向を表している。図５は、図４に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。図６は、図４に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【００８３】
本実施例のマクロレンズは、光軸Ｌｃ上に、物体側から順に、正の第１群Ｇ1、負の第２群Ｇ2、正の第３群Ｇ3、負の第４群Ｇ4が配置されている。なお、第３群Ｇ3と第４群Ｇ4との間には、第３群Ｇ3と一体的に構成された開口絞りＳが配置されている。また、第４群Ｇ4の像側には、物体側から順に、ＣＣＤカバーガラスＣＧ、撮像面ＩＭを持つＣＣＤが配置されている。
【００８４】
第１群Ｇ1は、物体側から順に、両凸レンズであるレンズＬ11と、物体側から順に物体側に凸面を向けた負の屈折力を持つメニスカスレンズであるレンズＬ12と物体側に凸面を向けた正の屈折力を持つメニスカスレンズであるレンズＬ13とからなる接合レンズと、物体側に凸面を向けた正の屈折力を持つメニスカスレンズであるレンズＬ14とにより構成されている。
【００８５】
第２群Ｇ2は、物体側から順に、物体側に凸面を向けた負の屈折力を持つメニスカスレンズであるＬ21と、物体側に凸面を向けた正の屈折力を持つメニスカスレンズであるレンズＬ22と、物体側に凸面を向けた負の屈折力を持つメニスカスレンズであるレンズＬ23と、物体側に凸面を向けた正の屈折力を持つメニスカスレンズであるレンズＬ24とにより構成されている。
【００８６】
第３群Ｇ3は、物体側から順に、両凸レンズであるレンズＬ31と、物体側から順に両凸レンズであるレンズＬ32と両凹レンズであるレンズＬ33とからなる接合レンズとにより構成されている。
【００８７】
第４群Ｇ4は、物体側から順に、物体側に凸面を向けた負の屈折力を持つメニスカスレンズであるレンズＬ41と、物体側から順に両凹レンズであるレンズＬ42と両凸レンズであるレンズＬ43とからなる接合レンズとにより構成されている。
【００８８】
また、無限遠物体合焦状態から撮影倍率等倍となる近距離物体合焦状態へのフォーカシング時に、第１群Ｇ1は、光軸Ｌｃ上を移動しない。第２群Ｇ2は、第１群Ｇ1との間隔を広げつつ光軸Ｌｃ上を像側に移動する。第３群Ｇ3は、第２群Ｇ2との間隔を狭めつつ光軸Ｌｃ上を物体側に移動する。第４群Ｇ4は、光軸Ｌｃ上を移動しない。また、開口絞りＳは、第３群Ｇ3と一体的に構成されているため、第３群Ｇ3とともに移動する。
【００８９】
次に、本実施例のマクロレンズを構成しているレンズに係る数値データを示す。
【００９０】
数値データ２
単位    ｍｍ
面データ
面番号            曲率半径     面間隔    屈折率    アッベ数
ｓ                 ｒ          ｄ       ｎｄ       νｄ
1                108.929     6.00     1.63854     55.38
2               -652.454     0.20
3                 90.898     2.50     1.88300     40.76 
4                 39.036     9.61     1.49700     81.54 
5                352.031     0.15
6                 48.770     6.48     1.49700     81.54 
7                263.776     Ｄ７
8                295.813     3.00     1.69680     55.53 
9                 42.229     1.20
10                 27.331     4.00     1.61800     63.33 
11                 36.490     4.80
12                 61.411     3.00     1.69680     55.53 
13                 25.718     2.00
14                 31.074     3.00     1.78472     25.68 
15                 47.054    Ｄ１５
16 （絞り）        ∞         0.20 
17                 75.402     5.39     1.88300     40.76 
18               -128.870     0.20
19                 49.666     3.80     1.59282     68.63 
20                -80.294     0.77     1.80518     25.42 
21                 73.400    Ｄ２１
22                161.563     1.40     1.48749     70.23 
23                 21.321    17.69
24                -70.432     1.40     1.62588     35.70 
25                 30.096     4.46     1.85026     32.27 
26                -96.400    Ｄ２６
27                 ∞         4.2      1.51633     64.14 
28                 ∞        Ｄ２８
29 （像面）        ∞
【００９１】
各種データ
撮影倍率            無限遠   −０．５    −１
焦点距離            149.95     99.65     72.16
Ｆナンバー             2.83      1.71      1.12 
画角（２ω）            8.35      4.74      3.45
像高               11.15     11.15     11.15
全長              169.65    169.65    169.65
バックフォーカス（in air）    20.09     20.09     20.09 
【００９２】
面間隔
撮影倍率   無限遠   −０．５    −１
Ｄ７       5.61     12.79     23.81 
Ｄ１５     59.03     30.16      4.89
Ｄ２１      3.66     25.35     39.60
Ｄ２６     16.00     16.00     16.00
Ｄ２８      1.32      1.32      1.32
【００９３】
レンズ群データ
群  始面  焦点距離
1    1     75.40 
2    8    -67.93 
3   17     56.13 
4   22   -112.04 
【００９４】
上記条件式に係るデータ
式（１） ：  ０．０８＜ΣＤG1L／Ｌ＜０．１８１  ：  ０．１６６７４
式（２） ：０．２７＜（ＤG2-G3i−ＤG2-G3s）／Ｌ＜０．６：  ０．３６２
式（３） ：         ０．４＜ＬｓG2n＜２         ：  １．３３３
式（４） ：        −３３＜ＬｓG2p＜−１        ：−６．９６８
式（５） ：   ０．０５＜ＤG2F／ＤG3F＜０．７１０   ：  ０．５０６
式（６） ：    ０．２＜｜ｆG3／ｆG2｜＜２．０    ：  ０．８２
式（７） ： ０．１＜（ＤG4Amax＋ｂｆ）／ｆi＜０．７ ：  ０．２５１
式（８） ：     ０．０８＜ＤG4Amax／ｆ＜０．３     ：  ０．１１
式（９） ：     ０．５＜ＤG4Amax／ＢＦ＜１．８     ：  ０．８８
式（１０）：   −０．３３＜ＬｓG1p2−ＬｓG1p3＜１０   ：−０．２４２４
式（１１）：    ０．３４＜ｆG1／ｆ＜０．５７    ：  ０．５０２
式（１２）：         ７０＜νｄG1pa＜９５         ：  ７２．８２
式（１３）：        １．８＜ｎG1na＜２．１        ：  １．８８３
【実施例３】
【００９５】
以下に、図７〜図９を用いて、実施例３に係るマクロレンズについて詳細に説明する。
【００９６】
なお、図７は、本実施例に係るマクロレンズの構成を示す光軸に沿う断面図であり、（ａ）は無限遠物体合焦状態、（ｂ）は中間状態（撮影倍率０．５倍）、（ｃ）は撮影倍率等倍となる近距離物体合焦状態をそれぞれ示している。なお、（ａ）と（ｂ）との間の矢印は、無限遠物体合焦状態から中間状態（撮影倍率０．５倍）へ観察状態を変更する際の各レンズ群の移動方向を表し、（ｂ）と（ｃ）との間の矢印は、中間状態（撮影倍率０．５倍）から撮影倍率等倍となる近距離物体合焦状態へ観察状態を変更する際の各レンズ群の移動方向を表している。図８は、図７に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。図９は、図７に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【００９７】
本実施例のマクロレンズは、光軸Ｌｃ上に、物体側から順に、正の第１群Ｇ1、負の第２群Ｇ2、正の第３群Ｇ3、負の第４群Ｇ4が配置されている。なお、第３群Ｇ3と第４群Ｇ4との間には、第３群Ｇ3と一体的に構成された開口絞りＳが配置されている。また、第４群Ｇ4の像側には、物体側から順に、ＣＣＤカバーガラスＣＧ、撮像面ＩＭを持つＣＣＤが配置されている。
【００９８】
第１群Ｇ1は、物体側から順に、両凸レンズであるレンズＬ11と、物体側から順に物体側に凸面を向けた負の屈折力を持つメニスカスレンズであるレンズＬ12と物体側に凸面を向けた正の屈折力を持つメニスカスレンズであるレンズＬ13とからなる接合レンズと、物体側に凸面を向けた正の屈折力を持つメニスカスレンズであるレンズＬ14とにより構成されている。
【００９９】
第２群Ｇ2は、物体側から順に、両凹レンズであるレンズＬ21と、物体側に凸面を向けた正の屈折力を持つメニスカスレンズであるレンズＬ22と、物体側に凸面を向けた負の屈折力を持つメニスカスレンズであるレンズＬ23と、物体側に凸面を向けた正の屈折力を持つメニスカスレンズであるレンズＬ24とにより構成されている。
【０１００】
第３群Ｇ3は、物体側から順に、両凸レンズであるレンズＬ31と、物体側から順に両凸レンズであるレンズＬ32と物体側に凹面を向けた負の屈折力を持つメニスカスレンズであるレンズＬ33とからなる接合レンズとにより構成されている。
【０１０１】
第４群Ｇ4は、物体側から順に、両凹レンズであるレンズＬ41と、物体側から順に両凹レンズであるレンズＬ42と両凸レンズであるレンズＬ43とからなる接合レンズとにより構成されている。
【０１０２】
また、無限遠物体合焦状態から撮影倍率等倍となる近距離物体合焦状態へのフォーカシング時に、第１群Ｇ1は、光軸Ｌｃ上を移動しない。第２群Ｇ2は、第１群Ｇ1との間隔を広げつつ光軸Ｌｃ上を像側に移動する。第３群Ｇ3は、第２群Ｇ2との間隔を狭めつつ光軸Ｌｃ上を物体側に移動する。第４群Ｇ4は、光軸Ｌｃ上を移動しない。また、開口絞りＳは、第３群Ｇ3と一体的に構成されているため、第３群Ｇ3とともに移動する。
【０１０３】
次に、本実施例のマクロレンズを構成しているレンズに係る数値データを示す。
【０１０４】
数値データ３
単位    ｍｍ
面データ
面番号            曲率半径     面間隔    屈折率    アッベ数
ｓ                 ｒ          ｄ       ｎｄ       νｄ
1                 81.334     5.70     1.49700     81.54
2               -661.864     0.20
3                 67.061     2.61     1.80610     40.92 
4                 35.104    10.84     1.48749     70.23 
5                395.153     0.15
6                 62.461     4.26     1.49700     81.54 
7                418.229     Ｄ７
8              -1688.273     3.00     1.69680     55.53 
9                 42.023     1.20
10                 24.113     4.00     1.61800     63.33 
11                 33.143     2.80
12                 47.397     3.00     1.69680     55.53 
13                 21.697     2.00
14                 26.293     3.00     1.78472     25.68 
15                 35.810    Ｄ１５
16 （絞り）        ∞         0.20 
17                 65.701     5.87     1.49700     81.54 
18               -129.399     0.20
19                 64.240     5.02     1.59282     68.63 
20                -46.528     1.00     1.80518     25.42 
21               -165.532    Ｄ２１
22             -16432.853     1.40     1.48749     70.23 
23                 19.100    16.16
24                -88.286     1.40     1.62588     35.70 
25                 21.549     5.14     1.85026     32.27 
26                -96.400    Ｄ２６
27                 ∞         4.2      1.51633     64.14 
28                 ∞        Ｄ２８
29 （像面）        ∞
【０１０５】
各種データ
撮影倍率            無限遠   −０．５    −１
焦点距離            149.96    106.72     78.48
Ｆナンバー             2.83      1.64      0.88 
画角（２ω）            8.37      4.32      2.64
像高               11.15     11.15     11.15
全長              160.63    160.63    160.63
バックフォーカス（in air）    15.07     15.07     15.07 
【０１０６】
面間隔
撮影倍率   無限遠   −０．５    −１
Ｄ７       6.84     14.19     26.91 
Ｄ１５     55.38     28.26      4.92
Ｄ２１      4.19     23.96     34.58
Ｄ２６     11.00     11.00     11.00
Ｄ２８      1.30      1.30      1.30
【０１０７】
レンズ群データ
群  始面  焦点距離
1    1     67.33 
2    8    -54.58
3   17     48.89 
4   22   -136.94 
【０１０８】
上記条件式に係るデータ
式（１） ：  ０．０８＜ΣＤG1L／Ｌ＜０．１８１  ：  ０．１６３２５
式（２） ：０．２７＜（ＤG2-G3i−ＤG2-G3s）／Ｌ＜０．６：  ０．３４６
式（３） ：         ０．４＜ＬｓG2n＜２         ：  ０．９５１
式（４） ：        −３３＜ＬｓG2p＜−１        ：−６．３４０１
式（５） ：   ０．０５＜ＤG2F／ＤG3F＜０．７１０   ：  ０．６６０
式（６） ：    ０．２＜｜ｆG3／ｆG2｜＜２．０    ：  ０．８９
式（７） ： ０．１＜（ＤG4Amax＋ｂｆ）／ｆi＜０．７ ：  ０．２０８
式（８） ：     ０．０８＜ＤG4Amax／ｆ＜０．３     ：  ０．１０７
式（９） ：     ０．５＜ＤG4Amax／ＢＦ＜１．８     ：  １．０７
式（１０）：   −０．３３＜ＬｓG1p2−ＬｓG1p3＜１０   ：−０．０５７６６
式（１１）：    ０．３４＜ｆG1／ｆ＜０．５７    ：  ０．４４８
式（１２）：         ７０＜νｄG1pa＜９５         ：  ７７．７７
式（１３）：        １．８＜ｎG1na＜２．１        ：  １．８０６１
【実施例４】
【０１０９】
以下に、図１０〜図１２を用いて、実施例４に係るマクロレンズについて詳細に説明する。
【０１１０】
なお、図１０は、本実施例に係るマクロレンズの構成を示す光軸に沿う断面図であり、（ａ）は無限遠物体合焦状態、（ｂ）は中間状態（撮影倍率０．５倍）、（ｃ）は撮影倍率等倍となる近距離物体合焦状態をそれぞれ示している。なお、（ａ）と（ｂ）との間の矢印は、無限遠物体合焦状態から中間状態（撮影倍率０．５倍）へ観察状態を変更する際の各レンズ群の移動方向を表し、（ｂ）と（ｃ）との間の矢印は、中間状態（撮影倍率０．５倍）から撮影倍率等倍となる近距離物体合焦状態へ観察状態を変更する際の各レンズ群の移動方向を表している。図１１は、図１０に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。図１２は、図１０に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【０１１１】
本実施例のマクロレンズは、光軸Ｌｃ上に、物体側から順に、正の第１群Ｇ1、負の第２群Ｇ2、正の第３群Ｇ3、負の第４群Ｇ4が配置されている。なお、第３群Ｇ3と第４群Ｇ4との間には、第３群Ｇ3と一体的に構成された開口絞りＳが配置されている。また、第４群Ｇ4の像側には、物体側から順に、ＣＣＤカバーガラスＣＧ、撮像面ＩＭを持つＣＣＤが配置されている。
【０１１２】
第１群Ｇ1は、物体側から順に、両凸レンズであるレンズＬ11と、物体側から順に物体側に凸面を向けた負の屈折力を持つメニスカスレンズであるレンズＬ12と両凸レンズであるレンズＬ13とからなる接合レンズと、物体側に凸面を向けた正の屈折力を持つメニスカスレンズであるレンズＬ14とにより構成されている。
【０１１３】
第２群Ｇ2は、物体側から順に、両凹レンズであるレンズＬ21と、物体側に凸面を向けた正の屈折力を持つメニスカスレンズであるレンズＬ22と、両凹レンズであるレンズＬ23と、物体側に凸面を向けた正の屈折力を持つメニスカスレンズであるレンズＬ24とにより構成されている。
【０１１４】
第３群Ｇ3は、物体側から順に、両凸レンズであるレンズＬ31と、物体側から順に物体側に凹面を向けた正の屈折力を持つメニスカスレンズであるレンズＬ32と物体側に凹面を向けた負の屈折力を持つメニスカスレンズであるレンズＬ33とからなる接合レンズとにより構成されている。
【０１１５】
第４群Ｇ4は、物体側から順に、物体側に凸面を向けた負の屈折力を持つメニスカスレンズであるレンズＬ41と、物体側から順に両凹レンズであるレンズＬ42と両凸レンズであるレンズＬ43とからなる接合レンズとにより構成されている。
【０１１６】
また、無限遠物体合焦状態から撮影倍率等倍となる近距離物体合焦状態へのフォーカシング時に、第１群Ｇ1は、光軸Ｌｃ上を移動しない。第２群Ｇ2は、第１群Ｇ1との間隔を広げつつ光軸Ｌｃ上を像側に移動する。第３群Ｇ3は、第２群Ｇ2との間隔を狭めつつ光軸Ｌｃ上を物体側に移動する。第４群Ｇ4は、光軸Ｌｃ上を移動しない。また、開口絞りＳは、第３群Ｇ3と一体的に構成されているため、第３群Ｇ3とともに移動する。
【０１１７】
次に、本実施例のマクロレンズを構成しているレンズに係る数値データを示す。
【０１１８】
数値データ４
単位    ｍｍ
面データ
面番号            曲率半径     面間隔    屈折率    アッベ数
ｓ                 ｒ          ｄ       ｎｄ       νｄ
1                109.594     6.00     1.48749     70.23
2               -346.817     0.20
3                121.436     1.00     1.91082     35.25 
4                 46.340    10.70     1.49700     81.54 
5               -144.246     0.15
6                 41.119     5.13     1.49700     81.54 
7                 64.909     Ｄ７
8               -913.075     2.00     1.69680     55.53 
9                 40.569     1.50
10                 30.348     8.40     1.59270     35.31 
11                534.392     1.50
12              -1032.291     2.00     1.69680     55.53 
13                 29.802     2.00
14                 38.682     4.00     1.78472     25.68 
15                 54.797    Ｄ１５
16 （絞り）        ∞         0.20 
17                 87.987     5.79     1.88300     40.76 
18                -78.985     0.20
19               -150.771     3.25     1.59282     68.63 
20                -37.764     1.00     1.84666     23.78 
21               -155.317    Ｄ２１
22                 58.672     1.40     1.48749     70.23 
23                 27.002     8.23
24                -56.257     1.40     1.62588     35.70 
25                 63.710     3.69     1.85026     32.27 
26                -96.400    Ｄ２６
27                 ∞         4.2      1.51633     64.14 
28                 ∞        Ｄ２８
29 （像面）        ∞
【０１１９】
各種データ
撮影倍率            無限遠   −０．５    −１
焦点距離            149.90    106.32     77.58
Ｆナンバー             2.83      1.63      1.01 
画角（２ω）            8.40      4.73      3.33
像高               11.15     11.15     11.15
全長              196.63    196.63    196.63
バックフォーカス（in air）    43.07     43.07     43.07 
【０１２０】
面間隔
撮影倍率   無限遠   −０．５    −１
Ｄ７       9.74     16.79     27.36 
Ｄ１５     64.10     31.71      4.51
Ｄ２１     10.00     35.34     51.97
Ｄ２６     39.00     39.00     39.00
Ｄ２８      1.30      1.30      1.30
【０１２１】
レンズ群データ
群  始面  焦点距離
1    1     80.63 
2    8    -58.32 
3   17     63.04 
4   22   -128.85 
【０１２２】
上記条件式に係るデータ
式（１） ：  ０．０８＜ΣＤG1L／Ｌ＜０．１８１  ：  ０．１５０９４
式（２） ：０．２７＜（ＤG2-G3i−ＤG2-G3s）／Ｌ＜０．６：  ０．３８８
式（３） ：         ０．４＜ＬｓG2n＜２         ：  ０．９１４
式（４） ：        −３３＜ＬｓG2p＜−１        ：−１．１２０
式（５） ：   ０．０５＜ＤG2F／ＤG3F＜０．７１０   ：  ０．４１９
式（６） ：    ０．２＜｜ｆG3／ｆG2｜＜２．０    ：  １．０８
式（７） ： ０．１＜（ＤG4Amax＋ｂｆ）／ｆi＜０．７ ：  ０．３４２
式（８） ：     ０．０８＜ＤG4Amax／ｆ＜０．３     ：        −
式（９） ：     ０．５＜ＤG4Amax／ＢＦ＜１．８     ：        −
式（１０）：   −０．３３＜ＬｓG1p2−ＬｓG1p3＜１０   ：  ４．３７
式（１１）：    ０．３４＜ｆG1／ｆ＜０．５７    ：  ０．５３７５
式（１２）：         ７０＜νｄG1pa＜９５         ：  ７７．７７
式（１３）：        １．８＜ｎG1na＜２．１        ：  １．９１０８２
【実施例５】
【０１２３】
以下に、図１３〜図１５を用いて、実施例５に係るマクロレンズについて詳細に説明する。
【０１２４】
なお、図１３は、本実施例に係るマクロレンズの構成を示す光軸に沿う断面図であり、（ａ）は無限遠物体合焦状態、（ｂ）は中間状態（撮影倍率０．５倍）、（ｃ）は撮影倍率等倍となる近距離物体合焦状態をそれぞれ示している。なお、（ａ）と（ｂ）との間の矢印は、無限遠物体合焦状態から中間状態（撮影倍率０．５倍）へ観察状態を変更する際の各レンズ群の移動方向を表し、（ｂ）と（ｃ）との間の矢印は、中間状態（撮影倍率０．５倍）から撮影倍率等倍となる近距離物体合焦状態へ観察状態を変更する際の各レンズ群の移動方向を表している。図１４は、図１３に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。図１５は、図１３に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【０１２５】
本実施例のマクロレンズは、光軸Ｌｃ上に、物体側から順に、正の第１群Ｇ1、負の第２群Ｇ2、正の第３群Ｇ3、負の第４群Ｇ4が配置されている。なお、第３群Ｇ3と第４群Ｇ4との間には、第３群Ｇ3と一体的に構成された開口絞りＳが配置されている。また、第４群Ｇ4の像側には、物体側から順に、ＣＣＤカバーガラスＣＧ、撮像面ＩＭを持つＣＣＤが配置されている。
【０１２６】
第１群Ｇ1は、物体側から順に、両凸レンズであるレンズＬ11と、物体側から順に物体側に凸面を向けた負の屈折力を持つメニスカスレンズであるレンズＬ12と両凸レンズであるであるレンズＬ13とからなる接合レンズと、物体側に凸面を向けた正の屈折力を持つメニスカスレンズであるレンズＬ14とにより構成されている。
【０１２７】
第２群Ｇ2は、物体側から順に、物体側に凸面を向けた負の屈折力を持つメニスカスレンズであるレンズＬ21と、物体側に凸面を向けた正の屈折力を持つメニスカスレンズであるレンズＬ22と、物体側に凸面を向けた負の屈折力を持つメニスカスレンズであるレンズＬ23と物体側に凸面を向けた正の屈折力を持つメニスカスレンズであるレンズＬ24とからなる接合レンズにより構成されている。
【０１２８】
第３群Ｇ3は、物体側から順に、両凸レンズであるレンズＬ31と、物体側から順に両凸レンズであるレンズＬ32と物体側に凹面を向けた負の屈折力を持つメニスカスレンズであるレンズＬ33とからなる接合レンズとにより構成されている。
【０１２９】
第４群Ｇ4は、物体側から順に、物体側に凸面を向けた負の屈折力を持つメニスカスレンズであるレンズＬ41と、物体側から順に両凹レンズであるレンズＬ42と両凸レンズであるレンズＬ43とからなる接合レンズとにより構成されている。
【０１３０】
また、無限遠物体合焦状態から撮影倍率等倍となる近距離物体合焦状態へのフォーカシング時に、第１群Ｇ1は、光軸Ｌｃ上を移動しない。第２群Ｇ2は、第１群Ｇ1との間隔を広げつつ光軸Ｌｃ上を像側に移動する。第３群Ｇ3は、第２群Ｇ2との間隔を狭めつつ光軸Ｌｃ上を物体側に移動する。第４群Ｇ4は、光軸Ｌｃ上を移動しない。また、開口絞りＳは、第３群Ｇ3と一体的に構成されているため、第３群Ｇ3とともに移動する。
【０１３１】
次に、本実施例のマクロレンズを構成しているレンズに係る数値データを示す。
【０１３２】
数値データ５
単位    ｍｍ
面データ
面番号            曲率半径     面間隔    屈折率    アッベ数
ｓ                 ｒ          ｄ       ｎｄ       νｄ
1                171.507     5.00     1.48749     70.23
2               -266.287     0.20
3                 95.478     1.49     1.80610     40.92 
4                 43.781     8.44     1.49700     81.54 
5             -12876.783     0.15
6                 49.788     4.85     1.49700     81.54 
7                159.479     Ｄ７
8                324.026     3.00     1.69680     55.53 
9                 47.320     1.20
10                 34.785     4.00     1.61800     63.33 
11                 36.941     3.00 
12                 61.960     2.00     1.69680     55.53 
13                 29.869     3.00     1.78472     25.68 
14                 45.962    Ｄ１４
15 （絞り）        ∞         1.00 
16                 88.131     3.81     1.49700     81.54 
17                -96.136     0.20
18                 82.890     3.73     1.59282     68.63 
19                -83.913     1.77     1.80518     25.42 
20             -59593.690    Ｄ２０
21                145.653     1.40     1.48749     70.23 
22                 19.073    19.14
23                -85.593     1.40     1.62588     35.70 
25                 22.083     5.96     1.85026     32.27 
25                -96.400    Ｄ２５
26                 ∞         4.2      1.51633     64.14 
27                 ∞        Ｄ２７
28 （像面）        ∞
【０１３３】
各種データ
撮影倍率            無限遠   −０．５    −１
焦点距離            149.94    117.90     92.43
Ｆナンバー             2.83      1.96      1.43 
画角（２ω）            8.39      5.17      3.96
像高               11.15     11.15     11.15
全長              174.63    174.63    174.63
バックフォーカス（in air）    14.07     14.07     14.07 
【０１３４】
面間隔
撮影倍率   無限遠   −０．５    −１
Ｄ７       7.59     15.26     25.70 
Ｄ１４     60.22     30.79      4.79
Ｄ２０     18.01     39.77     55.32
Ｄ２５     10.00     10.00     10.00
Ｄ２７      1.30      1.30      1.30
【０１３５】
レンズ群データ
群  始面  焦点距離
1    1     78.30 
2    8    -70.84 
3   16     64.94 
4   21   -221.24 
【０１３６】
上記条件式に係るデータ
式（１） ：  ０．０８＜ΣＤG1L／Ｌ＜０．１８１  ：  ０．１２５３９
式（２） ：０．２７＜（ＤG2-G3i−ＤG2-G3s）／Ｌ＜０．６：  ０．３４５
式（３） ：         ０．４＜ＬｓG2n＜２         ：  １．３４２
式（４） ：        −３３＜ＬｓG2p＜−１        ：−３３．２７
式（５） ：   ０．０５＜ＤG2F／ＤG3F＜０．７１０   ：  ０．４８５
式（６） ：    ０．２＜｜ｆG3／ｆG2｜＜２．０    ：  ０．９１
式（７） ： ０．１＜（ＤG4Amax＋ｂｆ）／ｆi＜０．７ ：  ０．２２１
式（８） ：     ０．０８＜ＤG4Amax／ｆ＜０．３     ：  ０．１２７
式（９） ：     ０．５＜ＤG4Amax／ＢＦ＜１．８     ：  １．３６
式（１０）：   −０．３３＜ＬｓG1p2−ＬｓG1p3＜１０   ：  ０．９０７
式（１１）：    ０．３４＜ｆG1／ｆ＜０．５７    ：  ０．５２２
式（１２）：         ７０＜νｄG1pa＜９５         ：  ７７．７７
式（１３）：        １．８＜ｎG1na＜２．１        ：  １．８０６１
【０１３７】
以下に、図１６〜図１８を用いて、実施例６に係るマクロレンズについて詳細に説明する。
【０１３８】
なお、図１６は、本実施例に係るマクロレンズの構成を示す光軸に沿う断面図であり、（ａ）は無限遠物体合焦状態、（ｂ）は中間状態（撮影倍率０．５倍）、（ｃ）は撮影倍率等倍となる近距離物体合焦状態をそれぞれ示している。なお、（ａ）と（ｂ）との間の矢印は、無限遠物体合焦状態から中間状態（撮影倍率０．５倍）へ観察状態を変更する際の各レンズ群の移動方向を表し、（ｂ）と（ｃ）との間の矢印は、中間状態（撮影倍率０．５倍）から撮影倍率等倍となる近距離物体合焦状態へ観察状態を変更する際の各レンズ群の移動方向を表している。図１７は、図１６に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。図１８は、図１６に示したマクロレンズの実像高をｄとしたときの０．３５ｄのコマ収差を示す図であり、（ａ）は無限遠物体合焦状態、（ｂ）は中間状態（撮影倍率０．５倍）、（ｃ）は撮影倍率等倍となる近距離物体合焦状態をそれぞれ示している。なお、横軸は開口比（−１〜１）、縦軸は収差量（ｍｍ）を表している。
【０１３９】
本実施例のマクロレンズは、光軸Ｌｃ上に、物体側から順に、正の第１群Ｇ1、負の第２群Ｇ2、正の第３群Ｇ3、負の第４群Ｇ4が配置されている。なお、第３群Ｇ3と第４群Ｇ4との間には、第３群Ｇ3と一体的に構成された開口絞りＳが配置されている。また、第４群Ｇ4の像側には、物体側から順に、ＣＣＤカバーガラスＣＧ、撮像面ＩＭを持つＣＣＤが配置されている。
【０１４０】
第１群Ｇ1は、物体側から順に、物体側から順に物体側に凸面を向けた負の屈折力を持つメニスカスレンズであるレンズＬ11と両凸レンズであるレンズＬ12とからなる接合レンズと、両凸レンズであるレンズＬ13と、物体側に凸面を向けた正の屈折力を持つメニスカスレンズであるレンズＬ14とにより構成されている。
【０１４１】
第２群Ｇ2は、物体側から順に、両凹レンズであるレンズＬ21と、物体側に凸面を向けた正の屈折力を持つメニスカスレンズであるレンズＬ22と、物体側に凸面を向けた負の屈折力を持つメニスカスレンズであるであるレンズＬ23と、物体側に凸面を向けた正の屈折力を持つメニスカスレンズであるレンズＬ24とにより構成されている。
【０１４２】
第３群Ｇ3は、物体側から順に、両凸レンズであるレンズＬ31と、両凸レンズであるレンズＬ32と物体側に凹面を向けた負の屈折力を持つメニスカスレンズであるレンズＬ33とからなる接合レンズとにより構成されている。
【０１４３】
第４群Ｇ4は、物体側から順に、物体側に凸面を向けた負の屈折力を持つメニスカスレンズであるレンズＬ41と、物体側から順に両凹レンズであるレンズＬ42と両凸レンズであるレンズＬ43とからなる接合レンズとにより構成されている。
【０１４４】
また、無限遠物体合焦状態から撮影倍率等倍となる近距離物体合焦状態へのフォーカシング時に、第１群Ｇ1は、光軸Ｌｃ上を移動しない。第２群Ｇ2は、第１群Ｇ1との間隔を広げつつ光軸Ｌｃ上を像側に移動する。第３群Ｇ3は、第２群Ｇ2との間隔を狭めつつ光軸Ｌｃ上を物体側に移動する。第４群Ｇ4は、光軸Ｌｃ上を移動しない。また、開口絞りＳは、第３群Ｇ3と一体的に構成されているため、第３群Ｇ3とともに移動する。
【０１４５】
次に、本実施例のマクロレンズを構成しているレンズに係る数値データを示す。
【０１４６】
数値データ６
単位    ｍｍ
面データ
面番号            曲率半径     面間隔    屈折率    アッベ数
ｓ                 ｒ          ｄ       ｎｄ       νｄ
1                186.560     3.00     1.80518     25.42
2                 80.048    10.00     1.48749     70.23
3               -142.320     0.20
4                133.231     6.00     1.49700     81.54 
5               -536.108     0.15
6                 80.904    11.47     1.43875     94.93 
7                331.591     Ｄ７
8               -183.988     3.00     1.69680     55.53 
9                 62.191     1.20
10                 29.971     5.00     1.59270     35.31 
11                 84.184     2.80
12                 93.733     3.00     1.69680     55.53 
13                 26.107     2.00
14                 33.758     3.00     1.78472     25.68 
15                 44.155    Ｄ１５
16 （絞り）        ∞         0.20 
17                 86.927     2.65     1.49700     81.54 
18                -69.425     0.20
19                 43.677     3.65     1.59282     68.63 
20                -57.372     1.00     1.80518     25.42 
21               -571.097    Ｄ２１
22                170.208     1.40     1.48749     70.23 
23                 20.261     6.85
24                -40.958     1.40     1.62588     35.70 
25                 28.856     4.00     1.85026     32.27 
26                -96.400    Ｄ２６
27                 ∞          4.2     1.51633     64.14
28                 ∞        Ｄ２８
29 （像面）        ∞
【０１４７】
各種データ
撮影倍率            無限遠   −０．５    −１
焦点距離            152.96    103.21     67.97
Ｆナンバー             2.86      0.81      0.16 
画角（２ω）            8.24      2.75      0.67
像高               11.15     11.15     11.15
全長              183.63    183.63    183.63
バックフォーカス（in air）    42.63     42.63     42.63 
【０１４８】
面間隔
撮影倍率   無限遠   −０．５    −１
Ｄ７       7.68     24.36     46.38 
Ｄ１５     58.59     33.48      4.99
Ｄ２１      2.57     11.01     17.47
Ｄ２６     38.55     38.55     38.55
Ｄ２８      1.30      1.30      1.30
【０１４９】
レンズ群データ
群  始面  焦点距離
1    1     80.51 
2    8    -65.21 
3   17     41.56 
4   22    -54.01 
【０１５０】
上記条件式に係るデータ
式（１） ：  ０．０８＜ΣＤG1L／Ｌ＜０．１８１  ：  ０．１６５９
式（２） ：０．２７＜（ＤG2-G3i−ＤG2-G3s）／Ｌ＜０．６：  ０．２９１８
式（３） ：         ０．４＜ＬｓG2n＜２         ：  ０．４９４７７
式（４） ：        −３３＜ＬｓG2p＜−１        ：−２．１０５６８
式（５） ：   ０．０５＜ＤG2F／ＤG3F＜０．７１０   ：−
式（６） ：    ０．２＜｜ｆG3／ｆG2｜＜２．０    ：  ０．６３７３
式（７） ： ０．１＜（ＤG4Amax＋ｂｆ）／ｆi＜０．７ ：  ０．３２３４
式（８） ：     ０．０８＜ＤG4Amax／ｆ＜０．３     ：  ０．１６０６８
式（９） ：     ０．５＜ＤG4Amax／ＢＦ＜１．８     ：        −
式（１０）：   −０．３３＜ＬｓG1p2−ＬｓG1p3＜１０   ：        −
式（１１）：    ０．３４＜ｆG1／ｆ＜０．５７    ：  ０．５２６３
式（１２）：         ７０＜νｄG1pa＜９５         ：  ８２．２３
式（１３）：        １．８＜ｎG1na＜２．１        ：  １．８０５１８
【０１５１】
また、本発明のマクロレンズのレンズ群を構成するレンズは、上記各実施例により示された形状や枚数に限定されるものではない。
【０１５２】
また、上記各実施例においては配置されていないが、マクロレンズと撮像素子との間にＩＲカットコートを施したローパスフィルター等を配置したりしても良い。
【符号の説明】
【０１５３】
ＣＧ         カバーガラス
Ｇ1          第１群
Ｇ2          第２群
Ｇ3          第３群
Ｇ4          第４群
ＬＣ         光軸
Ｌ11、Ｌ12、Ｌ13、Ｌ14、Ｌ21、Ｌ22、Ｌ23、Ｌ24、Ｌ31、Ｌ32、Ｌ33、Ｌ41、Ｌ42、Ｌ43           レンズ
Ｓ           開口絞り
【図１】
0005542010.tif 000002
【図２】
0005542010.tif 000003
【図３】
0005542010.tif 000004
【図４】
0005542010.tif 000005
【図５】
0005542010.tif 000006
【図６】
0005542010.tif 000007
【図７】
0005542010.tif 000008
【図８】
0005542010.tif 000009
【図９】
0005542010.tif 000010
【図１０】
0005542010.tif 000011
【図１１】
0005542010.tif 000012
【図１２】
0005542010.tif 000013
【図１３】
0005542010.tif 000014
【図１４】
0005542010.tif 000015
【図１５】
0005542010.tif 000016
【図１６】
0005542010.tif 000017
【図１７】
0005542010.tif 000018
【図１８】
0005542010.tif 000019